(57)【要約】【課題】ハンドルに対してリモコン送信機を着脱可能にしたスイッチ装置において、リモコン送信機によって複数の負荷に対して制御可能なスイッチ装置を提供する。【解決手段】スイッチ装置Ａは、電源から複数の負荷への供給を制御する受信回路と押操作により負荷を制御する上側ハンドル１０及び下側ハンドル１１とを有するスイッチ本体１と、スイッチ本体１に対して着脱可能であるとともにスイッチ本体１に対してワイヤレス信号を送信するリモコン送信機２とを備える。そして、リモコン送信機２には、第１負荷及び第２負荷をそれぞれ操作する第１操作部及び第２操作部と、これら操作部毎に異なるワイヤレス信号をスイッチ本体１にそれぞれ送信する送信回路とが設けられ、受信回路は、ワイヤレス信号毎に対応する第１負荷及び第２負荷をそれぞれ制御する。【選択図】図１
2010251076.tif 000002
【特許請求の範囲】
【請求項１】
電源から複数の負荷への電力供給を制御する制御部と押操作により負荷を制御するハンドルとを有するスイッチ本体と、前記ハンドルに対して着脱可能であるとともに前記スイッチ本体に対してワイヤレス信号を送信するリモコン送信機とを備えるスイッチ装置において、
前記リモコン送信機には、複数の負荷に対応する複数の操作部と、前記操作部毎に異なるワイヤレス信号を前記スイッチ本体にそれぞれ送信する送信部とが設けられ、
前記制御部は、前記ワイヤレス信号毎に対応する負荷をそれぞれ制御する
ことを特徴とするスイッチ装置。
【請求項２】
請求項１に記載のスイッチ装置において、
前記ハンドルは、前記リモコン送信機が着脱可能となる第１ハンドルと、前記第１ハンドルとは別の一または複数の第２ハンドルとにより構成される
ことを特徴とするスイッチ装置。
【請求項３】
請求項２に記載のスイッチ装置において、
前記リモコン送信機は、前記操作部に応じて、前記第１ハンドルの制御対象となる負荷、及び前記第２ハンドルの制御対象となる負荷のそれぞれを制御するワイヤレス信号を送信する
ことを特徴とするスイッチ装置。
【請求項４】
請求項２または請求項３に記載のスイッチ装置において、
前記ハンドルは、配線器具を最大３個まで取付可能に規格化されたハウジングの開口部に収容されるものであり、
前記第１ハンドルは、前記配線器具の１個分の寸法よりも大きい
ことを特徴とするスイッチ装置。
【請求項５】
請求項４に記載のスイッチ装置において、
前記第１ハンドルは、前記配線器具の２個分の寸法であり、
前記第２ハンドルは、前記配線器具の１個分の寸法である
ことを特徴とするスイッチ装置。
【請求項６】
請求項１〜請求項５のいずれか一項に記載のスイッチ装置において、
前記リモコン送信機の前記操作部には、前記複数の負荷を一括して制御可能な一括制御操作部が設けられる
ことを特徴とするスイッチ装置。
【請求項７】
請求項１〜請求項６のいずれか一項に記載のスイッチ装置において、
前記制御部には、前記負荷の所定の状態を記憶する記憶部が設けられ、
前記リモコン送信機は、前記ワイヤレス信号により前記記憶部に記憶された負荷の状態にする
ことを特徴とするスイッチ装置。
【発明の詳細な説明】
【技術分野】
【０００１】
本発明は、電源から複数の負荷への供給を制御する制御部と押操作により負荷を制御するハンドルとを有するスイッチ本体と、このスイッチ本体に対して着脱可能であるとともにこのスイッチ本体に対してワイヤレス信号を送信するリモコン送信機を備えるスイッチ装置に関する。
【背景技術】
【０００２】
従来、商用の交流電源と負荷（例えば、照明負荷）との間に挿入され、ハンドルの操作に応じて商用の交流電源から負荷への電流の供給をオン／オフすることにより負荷をオン／オフ（照明負荷の場合においては、点灯／消灯）するとともに、負荷をオン／オフするために別途用意されたリモコン送信機から送信されたワイヤレス信号を受信して商用の交流電源から負荷への電流の供給をオン／オフする埋込型のスイッチ装置が提供されている（例えば、特許文献１参照）。
【０００３】
この従来のスイッチ装置の構造では、リモコン送信機の置き場所が別途必要となり、その置き場所を忘れてしまうことによってリモコン送信機を紛失してしまうといった問題があった。
【０００４】
そこで、本出願人は、ハンドルに対してリモコン送信機を着脱可能にしたスイッチ装置を提案している（例えば、特許文献２参照）。このスイッチ装置の構造によれば、リモコン送信機をハンドルに取り付けることができるため、リモコン送信機の置き場所が省略でき、リモコン送信機の紛失を抑制することができるようになる。
【先行技術文献】
【特許文献】
【０００５】
【特許文献１】特開平１１−２５８２２号公報
【特許文献２】特開２００４−１８７４９１号公報
【発明の概要】
【発明が解決しようとする課題】
【０００６】
ところで、特許文献２のような従来のスイッチ装置では、１つの負荷に対してオン／オフの制御をリモコン送信機にて行う構造であり、リモコン送信機によって複数の負荷に対して制御することに対しては考慮されていなかった。そのため、この点において改善の余地があった。
【０００７】
本発明は、上記実情に鑑みてなされたものであり、その目的とするところは、ハンドルに対してリモコン送信機を着脱可能にしたスイッチ装置において、リモコン送信機によって複数の負荷に対して制御可能なスイッチ装置を提供することにある。
【課題を解決するための手段】
【０００８】
以下、上記目的を達成するための手段及びその作用効果について記載する。
（１）請求項１に記載の発明は、電源から複数の負荷への電力供給を制御する制御部と押操作により負荷を制御するハンドルとを有するスイッチ本体と、前記ハンドルに対して着脱可能であるとともに前記スイッチ本体に対してワイヤレス信号を送信するリモコン送信機とを備えるスイッチ装置において、前記リモコン送信機には、複数の負荷に対応する複数の操作部と、前記操作部毎に異なるワイヤレス信号を前記スイッチ本体にそれぞれ送信する送信部とが設けられ、前記制御部は、前記ワイヤレス信号毎に対応する負荷をそれぞれ制御することを要旨とする。
【０００９】
この発明によれば、リモコン送信機とスイッチ本体の制御部とが複数の負荷を制御することにより、リモコン送信機を用いて複数の負荷を制御することができるようになる。したがって、複数の負荷を制御するスイッチ装置においてもリモコン送信機により各負荷を制御することが可能となるため、複数の負荷においてハンドルの押操作による負荷の制御を抑制することができる。
【００１０】
（２）請求項２に記載の発明は、請求項１に記載のスイッチ装置において、前記ハンドルは、前記リモコン送信機が着脱可能となる第１ハンドルと、前記第１ハンドルとは別の一または複数の第２ハンドルとにより構成されることを要旨とする。
【００１１】
この発明によれば、ハンドルが第１ハンドルと第２ハンドルとにより構成されるため、ハンドルによる押操作をする場合において、第１ハンドル及び第２ハンドルのそれぞれの押操作をすることにより複数の負荷の各別の制御を行うことができる。
【００１２】
（３）請求項３に記載の発明は、請求項２に記載のスイッチ装置において、前記リモコン送信機は、前記操作部に応じて、前記第１ハンドルの制御対象となる負荷、及び前記第２ハンドルの制御対象となる負荷のそれぞれを制御するワイヤレス信号を送信することを要旨とする。
【００１３】
この発明によれば、リモコン送信機の操作部が第１ハンドルの制御対象となる負荷及び第２ハンドルの制御対象となる負荷に対応してそれぞれ制御するため、第１ハンドル及び第２ハンドルの各ハンドルに対してリモコン送信機が設けられる構成と比較して、スイッチ装置の部品点数の削減を図ることができる。したがって、スイッチ装置の装置全体としてのコストダウンを図ることができる。
【００１４】
（４）請求項４に記載の発明は、請求項２または請求項３に記載のスイッチ装置において、前記ハンドルは、配線器具を最大３個まで取付可能に規格化されたハウジングの開口部に収容されるものであり、前記第１ハンドルは、前記配線器具の１個分の寸法よりも大きいことを要旨とする。
【００１５】
この発明によれば、リモコン送信機が着脱可能とされる第１ハンドルが、配線器具の１個分の寸法よりも大きくなるため、リモコン送信機も配線器具の１個分の寸法よりも大きく構成することができるようになる。したがって、リモコン送信機を大型化することが可能となり、リモコン送信機を操作容易な大きさに設定することができるようになる。
【００１６】
（５）請求項５に記載の発明は、請求項４に記載のスイッチ装置において、前記第１ハンドルは、前記配線器具の２個分の寸法であり、前記第２ハンドルは、前記配線器具の１個分の寸法であることを要旨とする。
【００１７】
この発明によれば、リモコン送信機が着脱可能とされる第１ハンドルの大きさが配線器具の２個分の寸法となるため、リモコン送信機も配線器具の２個分の寸法とすることができるようになる。したがって、リモコン送信機を大型化することが可能となり、リモコン送信機を操作容易な大きさに設定することができるようになる。
【００１８】
（６）請求項６に記載の発明は、請求項１〜請求項５のいずれか一項に記載のスイッチ装置において、前記リモコン送信機の前記操作部には、前記複数の負荷を一括して制御可能な一括制御操作部が設けられることを要旨とする。
【００１９】
この発明によれば、複数の負荷を同時に制御する場合において、一括制御操作部により一度の操作によって制御可能となるため、リモコン送信機の操作性を向上することができる。
【００２０】
（７）請求項７に記載の発明は、請求項１〜請求項６のいずれか一項に記載のスイッチ装置において、前記制御部には、前記負荷の所定の状態を記憶する記憶部が設けられ、前記リモコン送信機は、前記ワイヤレス信号により前記記憶部に記憶された負荷の状態にすることを要旨とする。
【００２１】
この発明によれば、記憶部によって負荷の状態を記憶させることにより、負荷の状態を可変に操作することができ、リモコン送信機による負荷の制御の自由度を向上させることができる。
【発明の効果】
【００２２】
本発明によれば、ハンドルに対してリモコン送信機を着脱可能にしたスイッチ装置において、リモコン送信機によって複数の負荷に対して制御可能なスイッチ装置を提供することができる。
【図面の簡単な説明】
【００２３】
【図１】本発明のスイッチ装置を具体化した第１の実施形態について、（ａ）同スイッチ装置の正面構造を示す正面図、（ｂ）同スイッチ装置の側面構造を示す側面図。
【図２】同実施形態のスイッチ装置について、リモコン送信機が取り外された状態の正面構造を示す正面図。
【図３】同実施形態のスイッチ装置について、同スイッチ装置の内部構造を示す構造図。
【図４】同実施形態のスイッチ装置について、（ａ）リモコン送信機の正面構造を示す正面図、（ｂ）リモコン送信機の裏面構造、上面構造及び側面構造を示す３面図。
【図５】同実施形態のスイッチ装置について、スイッチ本体の受信回路の概略構成を示す模式的な回路図。
【図６】同実施形態のスイッチ装置について、リモコン送信機の送信回路の概略構成を示す模式的な回路図。
【図７】本発明のスイッチ装置を具体化した第２の実施形態について、（ａ）同スイッチ装置の正面構造を示す正面図、（ｂ）同スイッチ装置のリモコン送信機が取り外された状態の正面構造を示す正面図。
【図８】同実施形態のスイッチ装置について、スイッチ本体の受信回路の概略構成を示す模式的な回路図。
【図９】本発明のスイッチ装置を具体化した第３の実施形態について、（ａ）同スイッチ装置の正面構造を示す正面図、（ｂ）同スイッチ装置のリモコン送信機が取り外された状態の正面構造を示す正面図、（ｃ）同スイッチ装置のリモコン送信機を裏面側より見た平面図。
【図１０】同実施形態のスイッチ装置について、スイッチ本体の受信回路の概略構成を示す模式的な回路図。
【図１１】同実施形態のスイッチ装置について、リモコン送信機の送信回路の概略構成を示す模式的な回路図。
【図１２】本発明のスイッチ装置を具体化した第４の実施形態について、（ａ）同スイッチ装置の正面構造を示す正面図、（ｂ）同スイッチ装置のリモコン送信機が取り外された状態の正面構造を示す正面図、（ｃ）同スイッチ装置のリモコン送信機を裏面側より見た平面図、（ｄ）（ｃ）のリモコン送信機とは別のリモコン送信機を裏面側より見た平面図。
【図１３】同実施形態のスイッチ装置について、（ａ）中央ハンドルに取り付けられたリモコン送信機の送信回路の概略構成を示す模式的な回路図、（ｂ）下側ハンドルに取り付けられたリモコン送信機の送信回路の概略構成を示す模式的な回路図。
【図１４】本発明のスイッチ装置を具体化したその他の実施形態について、（ａ）同スイッチ装置の正面構造を示す正面図、（ｂ）同スイッチ装置のリモコン送信機が取り外された状態の正面構造を示す正面図。
【図１５】本発明のスイッチ装置を具体化したその他の実施形態について、リモコン送信機の裏面を示す平面図。
【発明を実施するための形態】
【００２４】
（第１の実施形態）
図１〜図６を参照して、本発明のスイッチ装置を造営材の壁面に取り付けられるスイッチ装置として具体化した第１の実施形態について説明する。以降では、スイッチ装置Ａにおいて、長手方向を「高さ方向」とし、短手方向を「長手方向」とする。また、造営材の壁面の表面側及び裏面側の方向を「奥行き方向」とする。
【００２５】
図１〜図４を参照して、スイッチ装置Ａの全体構造の概略について説明する。なお、図２は、スイッチ装置Ａからリモコン送信機２を取り外した状態を示している。
図１（ａ）に示すように、スイッチ装置Ａは、商用の交流電源（以下、「交流電源ＡＣ」）から照明負荷等の複数の負荷（以下、「負荷Ｌ」）への電流の供給を直接切り替えるスイッチ本体１と、赤外線等のワイヤレス信号をスイッチ本体１に送信することにより、スイッチ本体１の上記切り替えを指令するリモコン送信機２とにより構成されている。ここで、スイッチ装置Ａが用いられる例としては、家屋等の造営物の寝室の壁面に取り付けられ、主照明としての第１負荷Ｌ１と、寝室の下方を照らす間接照明としての第２負荷Ｌ２との複数の負荷への電流の供給を切り替える。
【００２６】
スイッチ本体１には、押操作を行う２つの上側ハンドル１０及び下側ハンドル１１（図１（ａ）では不図示。図１（ｂ）参照）が設けられている。この下側ハンドル１１の表面側には、リモコン送信機２が取り付けられている。上側ハンドル１０には、上側ハンドル１０の奥行き方向の裏面側に設けられたＬＥＤの発光を示す上側表示部１０ａが設けられている。また下側ハンドル１１には、下側ハンドル１１の長さ方向の一端にリモコン送信機２からのワイヤレス信号を受信する受信部１１ｅが設けられた受信カバー部１１ａと、受信カバー部１１ａの内部に設けられるとともに、下側ハンドル１１の奥行き方向の裏面側に設けられたＬＥＤの発光を示す下側表示部１１ｂとが設けられている。そして、これら上側ハンドル１０及び下側ハンドル１１を高さ方向及び長さ方向から取り囲むように化粧プレート２０が設けられている。
【００２７】
このスイッチ本体１は、ＪＩＳ規格や日本配線器具工業会において規格化されている大角形３個用の取付枠に最大３個まで取り付けることができる配線器具寸法（以下、「単位寸法」）の３倍に相当する寸法にて形成されている。即ち、単位寸法は、配線器具１個分の寸法に相当する。また、上側ハンドル１０は単位寸法の１倍に相当する寸法にて形成され、下側ハンドル１１は単位寸法の２倍に相当する寸法にて形成されている。また、化粧プレート２０は、単位寸法の３倍に相当する寸法の開口部２１が設けられている。
【００２８】
図１（ｂ）に示すように、スイッチ本体１の化粧プレート２０の奥行き方向の裏面側には、この化粧プレート２０と取り付けられるハウジング３０が設けられている。このハウジング３０の奥行き方向の裏面側には、スイッチボックス（不図示）に固定される取付枠４０が設けられている。この取付枠４０には、スイッチ等の電子部品を収容するボディ５０が取り付けられている。このボディ５０は、造営材の壁面より裏面側に埋設されている。また、ボディ５０とハウジング３０との奥行き方向の間には、受信回路１００（図５参照）が形成される回路基板であるプリント基板（不図示）が設けられている。
【００２９】
図２に示すように、受信カバー部１１ａの内部には永久磁石１１ｃが設けられている。また、リモコン送信機２には、永久磁石１１ｃと磁気的に吸引される磁性体の金属板が設けられている。この永久磁石１１ｃと金属板との磁気吸引の作用により、リモコン送信機２は、下側ハンドル１１に着脱可能に取り付けられている。また、受信カバー部１１ａの長さ方向の側面には、リモコン送信機２と係合する係合爪１１ｄが設けられている。この係合爪１１ｄがリモコン送信機２に係合されることにより、下側ハンドル１１に対するリモコン送信機２の位置が決定されている。
【００３０】
図３に示すように、ハウジング３０は、中央に開口穴を有する枠状に形成されている。そしてハウジング３０の長さ方向の両側のそれぞれには、高さ方向に離間した３つの係合爪３１が設けられている。この係合爪３１により、ハウジング３０と化粧プレート２０とが互いに係合する。また、取付枠４０は、中央に開口穴を有する枠状に形成されている。そして取付枠４０の高さ方向の上方及び下方には、ハウジング３０の奥行き方向の表面側に載置されるとともに、スイッチボックス（不図示）との取付部である上方取付部４１及び下方取付部４２が設けられている。これらハウジング３０及び取付枠４０の開口穴の内部には、機械式スイッチと電子式スイッチの２つのスイッチが収容されている。
【００３１】
図４（ａ）に示すように、リモコン送信機２には、平面視において長方形状の平板にて形成される筐体となるリモコン本体６０が設けられている。このリモコン本体６０は、下側ハンドル１１と高さ方向において同一の寸法にて形成されるとともに、単位寸法の２倍に相当する寸法にて形成されている。即ち、リモコン本体６０は、平面視において下側ハンドル１１の受信カバー部１１ａを除いた面積と同一の面積を有している。言い換えれば、リモコン本体６０は、単位寸法よりも大きく形成されている。
【００３２】
図４（ｂ）に示すように、リモコン本体６０の裏面側には、操作部６１が設けられている。この操作部６１には、上側ハンドル１０に対応した負荷である第１負荷Ｌ１のオン／オフを操作する第１操作部６３と、下側ハンドル１１に対応した負荷である第２負荷Ｌ２のオン／オフを操作する第２操作部６４とが設けられている。また、リモコン本体６０の内部には、電池（不図示）と、電池と電気的に接続されるとともに送信回路２００（図６参照）が形成される回路基板であるプリント基板（不図示）とが設けられている。
【００３３】
また、リモコン本体６０の高さ方向の上端面には、リモコン本体６０の内部に設けられた発光部２０１（図６参照）である発光ダイオードを外部に臨ませる窓孔６２が設けられている。この窓孔６２から操作部６１に応じたワイヤレス信号が送信される。
【００３４】
次に、図５及び図６を参照して、スイッチ本体１側、即ち受信側の受信回路１００と、リモコン送信機２側、即ち送信側の送信回路２００との回路構成の概略について説明する。
【００３５】
図５に示すように、受信回路１００は、受光部１０１、制御回路１０２、電源回路１０３、第１負荷開閉部１０４及び第２負荷開閉部１０５により構成されている。また、電源回路１０３には、交流電源ＡＣが接続されている。また、制御回路１０２及び電源回路１０３には、第１操作スイッチＳＷＨ１及び第２操作スイッチＳＷＨ２と、第１負荷Ｌ１及び第２負荷Ｌ２とがそれぞれ接続されている。
【００３６】
受光部１０１は、フォトダイオード等の受光素子から構成され、リモコン送信機２からの操作部６１に応じたワイヤレス信号を受信する。この受光部１０１は、制御回路１０２及び電源回路１０３にそれぞれ接続されている。
【００３７】
制御回路１０２は、マイクロコンピュータから構成され、受光部１０１が受信したワイヤレス信号または第１操作スイッチＳＷＨ１及び第２操作スイッチＳＷＨ２の押操作に伴い発生する操作信号に基づいて第１負荷Ｌ１及び第２負荷Ｌ２のオン／オフを制御するための制御信号を発生する。ここで、第１操作スイッチＳＷＨ１は、上側ハンドル１０の押操作により行われ、第２操作スイッチＳＷＨ２は、下側ハンドル１１の押操作により行われる。
【００３８】
電源回路１０３は、ダイオードブリッジから構成されるとともに交流電源ＡＣの電源電圧を整流する整流回路と、ダイオード及びコンデンサから構成されるとともに整流回路の整流出力を平滑化する平滑回路とにより構成されている。
【００３９】
第１負荷開閉部１０４及び第２負荷開閉部１０５は、フォトトライアック及びトライアックからそれぞれ構成され、制御回路１０２の制御信号に基づいて、トライアックを開閉駆動する。第１負荷開閉部１０４は、交流電源ＡＣと、制御回路１０２及び電源回路１０３と、第１負荷Ｌ１とにそれぞれ接続されている。第２負荷開閉部１０５は、交流電源ＡＣと、制御回路１０２及び電源回路１０３と、第２負荷Ｌ２とにそれぞれ接続されている。
【００４０】
図６に示すように、送信回路２００は、発光部２０１、制御回路２０２及び電池２０３により構成されている。発光部２０１及び電池２０３は、制御回路２０２にそれぞれ接続されている。
【００４１】
発光部２０１は、発光ダイオード等の発光素子から構成され、赤外線を媒体とするワイヤレス信号を送信する。
制御回路２０２は、マイクロコンピュータから構成され、第１操作スイッチＳＷ１及び第２操作スイッチＳＷ２の操作入力に応じて第１負荷Ｌ１及び第２負荷Ｌ２をオン／オフするための制御信号を発生する。ここで、第１操作スイッチＳＷ１は、第１操作部６３により操作され、第２操作スイッチＳＷ２は、第２操作部６４により操作される。即ち、第１操作スイッチＳＷ１は、上側ハンドル１０の押操作に相当し、第２操作スイッチＳＷ２は、下側ハンドル１１の押操作に相当する。
【００４２】
これら受信回路１００及び送信回路２００による第１負荷Ｌ１及び第２負荷Ｌ２による制御は以下のように上側ハンドル１０及び下側ハンドル１１の押操作及びリモコン送信機２の操作によりそれぞれ行われる。
【００４３】
上側ハンドル１０による上記制御は、上側ハンドル１０を押操作したときには、第１操作スイッチＳＷＨ１がオンとなり、第１負荷Ｌ１に電力が供給される。そして、再び上側ハンドル１０を押操作したときには、第１操作スイッチＳＷＨ１がオフとなり、第１負荷Ｌ１への電力の供給が停止される。また、このとき上側ハンドル１０の押操作によっては第２負荷Ｌ２への電力の供給は行われない。
【００４４】
下側ハンドル１１による上記制御は、下側ハンドル１１を押操作したときには、第２操作スイッチＳＷＨ２がオンとなり、第２負荷Ｌ２に電力が供給される。そして、再び下側ハンドル１１を押操作したときには、第２操作スイッチＳＷＨ２がオフとなり、第２負荷Ｌ２への電力の供給が停止される。また、このとき下側ハンドル１１の押操作によっては第１負荷Ｌ１への電力の供給は行われない。
【００４５】
リモコン送信機２による上記制御は、第１負荷開閉部１０４が無通電状態において第１操作部６３を押操作したときには、制御回路２０２により第１負荷Ｌ１をオンにするためのワイヤレス信号が発光部２０１から送信される。そして、受光部１０１によりワイヤレス信号を受信したときには、制御回路１０２の制御信号に基づいて第１負荷開閉部１０４が通電状態となる。これにより第１負荷Ｌ１に電力が供給される。そして、再び第１操作部６３を押操作したときには、制御回路２０２により第１負荷Ｌ１をオフにするためのワイヤレス信号が発光部２０１から送信される。そして、第１負荷開閉部１０４が通電状態において受光部１０１によりワイヤレス信号を受信したときには、制御回路１０２の制御信号に基づいて第１負荷開閉部１０４が無通電状態となる。これにより第１負荷Ｌ１への電力の供給が停止される。
【００４６】
また、第２負荷開閉部１０５が無通電状態において第２操作部６４を押操作したときには、制御回路２０２により第２負荷Ｌ２をオンにするためのワイヤレス信号が発光部２０１から送信される。そして、受光部１０１によりワイヤレス信号を受信したときには、制御回路２０２の制御信号に基づいて第２負荷開閉部１０５が通常状態となる。これにより第２負荷Ｌ２に電力が供給される。そして、再び第２操作部６４を押操作したときには、制御回路２０２により第２負荷Ｌ２をオフにするためのワイヤレス信号が発光部２０１から送信される。そして、第２負荷開閉部１０５が通電状態において受光部１０１によりワイヤレス信号を受信したときには、制御回路１０２の制御信号に基づいて第２負荷開閉部１０５が無通電状態となる。これにより第２負荷Ｌ２への電力の供給が停止される。
【００４７】
以上により、１つのリモコン送信機２の第１操作部６３及び第２操作部６４の押操作により、第１負荷Ｌ１及び第２負荷Ｌ２の異なる負荷に応じたオン／オフの切り替えを行うことができるようになる。
【００４８】
本実施形態によれば、以下の効果を奏することができる。
（１）本実施形態によれば、リモコン送信機２の第１操作部６３及び第２操作部６４の操作により、受信回路１００における第１負荷開閉部１０４及び第２負荷開閉部１０５がそれぞれ開閉駆動することにより、第１負荷Ｌ１及び第２負荷Ｌ２がそれぞれ制御される。したがって、１つのリモコン送信機２を用いて、第１負荷Ｌ１及び第２負荷Ｌ２の複数の負荷Ｌをそれぞれ制御することができる。その結果、複数の負荷Ｌにおいて各ハンドル１０，１１の押操作を抑制することができる。
【００４９】
また、リモコン送信機２の第１操作部６３及び第２操作部６４が上側ハンドル１０に対応した第１負荷Ｌ１と下側ハンドル１１に対応した第２負荷Ｌ２のそれぞれに対応して制御するため、上側ハンドル１０に対応したリモコン送信機及び下側ハンドル１１に対応したリモコン送信機を各別に用意することを省略することができる。したがって、上側ハンドル１０及び下側ハンドル１１毎にリモコン送信機２を用意する構造と比較して、スイッチ装置Ａの部品点数の削減を図ることができる。その結果、スイッチ装置Ａの装置全体としてのコストダウンを図ることができる。
【００５０】
（２）本実施形態によれば、上側ハンドル１０が第１負荷Ｌ１の制御を行い、下側ハンドル１１が第２負荷Ｌ２の制御を行う。したがって、第１負荷Ｌ１及び第２負荷Ｌ２の複数の負荷Ｌに対して各ハンドル１０，１１の押操作により制御することができる。
【００５１】
（３）本実施形態によれば、リモコン送信機２は、単位寸法よりも大きく形成されている。したがって、リモコン送信機２を大型化することが可能となり、リモコン送信機２を操作容易な大きさにすることができる。
【００５２】
（第２の実施形態）
図７及び図８を参照して、本発明のスイッチ装置を造営材の壁面に取り付けられるスイッチ装置として具体化した第２の実施形態について説明する。本実施形態では、第１の実施形態と異なる部分について説明する。なお、本実施形態において、第１の実施形態と同一の構成要素には同一の符号を付し、その説明を省略する。
【００５３】
図７（ｂ）に示すように、スイッチ装置Ｂは、スイッチ装置Ａと比較してハンドルの数が異なる。即ち、スイッチ装置Ａでは上側ハンドル１０及び下側ハンドル１１の２つのハンドルを用いていたが、スイッチ装置Ｂでは、１つのハンドル１３として設けられている。そして、図７（ａ）に示すように、ハンドル１３には、リモコン送信機３が着脱可能に取り付けられている。このリモコン送信機３は、第１の実施形態のリモコン送信機２と比較して、リモコン本体６０の体格が大きく形成されている。また、リモコン送信機３の送信回路は、リモコン送信機２の送信回路２００と同様の構造である。
【００５４】
図８に示すように、スイッチ装置Ｂの受信回路１００Ｂは、スイッチ装置Ａの受信回路１００と比較してスイッチ操作部の数が異なる。即ち、スイッチ装置Ａでは上側ハンドル１０及び下側ハンドル１１の２つのハンドルに対応した第１操作スイッチＳＷＨ１及び第２操作スイッチＳＷＨ２が設けられたが、スイッチ装置Ｂの受信回路１００Ａでは、ハンドル１３に対応した操作スイッチＳＷＨとして設けられている。一方、このスイッチ装置Ｂは、第１負荷Ｌ１及び第２負荷Ｌ２の複数の負荷のオン／オフの切り替えを制御している。
【００５５】
これら受信回路１００Ａと送信回路２００とによる第１負荷Ｌ１及び第２負荷Ｌ２の制御は、リモコン送信機３の押操作による上記制御は第１の実施形態での制御と同様であるため、その説明は省略する。
【００５６】
また、ハンドル１３による上記制御は、ハンドル１３を押操作したときには、操作スイッチＳＷＨがオンとなり、第１負荷Ｌ１に電力が供給される。そして、再びハンドル１３を押操作したときには、操作スイッチＳＷＨがオフとなり、第１負荷Ｌ１への電力の供給が停止される。また、このときハンドル１３の押操作によっては第２負荷Ｌ２への電力の供給は行われない。
【００５７】
以上により、本実施形態では、ハンドル１３の押操作においては、第１負荷Ｌ１のオン／オフの切り替えのみが制御され、リモコン送信機３の操作においては、第１負荷Ｌ１及び第２負荷Ｌ２のオン／オフの切り替えが制御される。本実施形態によれば、第１の実施形態の効果（１）に準じた効果を奏することができる。
【００５８】
（第３の実施形態）
図９〜図１１を参照して、本発明のスイッチ装置を造営材の壁面に取り付けられるスイッチ装置として具体化した第３の実施形態について説明する。本実施形態でも第２の実施形態と同様に、第１の実施形態と異なる部分について説明する。なお、本実施形態において、第１の実施形態と同一の構成要素には同一の符号を付し、その説明を省略する。
【００５９】
図９（ｂ）に示すように、スイッチ装置Ｃは、スイッチ装置Ａと比較してハンドルの数が異なる。即ち、スイッチ装置Ａでは上側ハンドル１０及び下側ハンドル１１の２つのハンドルを用いていたが、スイッチ装置Ｃでは、３つのハンドルである上側ハンドル１４、中央ハンドル１５及び下側ハンドル１６が設けられている。そして、図９（ａ）に示すように、下側ハンドル１６には、リモコン送信機４が設けられている。
【００６０】
図９（ｃ）に示すように、このリモコン送信機４は、第１の実施形態のリモコン送信機２と比較して、リモコン本体６０の体格が小さく形成されている。リモコン送信機４の操作部には、上側ハンドル１４、中央ハンドル１５及び下側ハンドル１６に対応した操作部である第１操作部６５、第２操作部６６及び第３操作部６７が設けられている。
【００６１】
図１０に示すように、受信回路１００Ｂは、第１の実施形態の受信回路１００に第３操作スイッチＳＷＨ３、第３負荷開閉部１０６及び第３負荷Ｌ３が追加された回路構成となる。これら第３操作スイッチＳＷＨ３、第３負荷開閉部１０６及び第３負荷Ｌ３は、それぞれ制御回路１０２及び電源回路１０３にそれぞれ接続されている。また、第３負荷開閉部１０６及び第３負荷Ｌ３は、交流電源ＡＣにそれぞれ接続されている。この第３負荷Ｌ３としては、寝具付近に設置される読書用の照明器具に対応している。
【００６２】
ここで、第１操作スイッチＳＷＨ１は上側ハンドル１４に対応し、第２操作スイッチＳＷＨ２は中央ハンドル１５に対応し、第３操作スイッチＳＷＨ３は下側ハンドル１６に対応している。また、第１操作スイッチＳＷＨ１は第１負荷Ｌ１に対応し、第２操作スイッチＳＷＨ２は第２負荷Ｌ２に対応し、第３操作スイッチＳＷＨ３は第３負荷Ｌ３に対応している。
【００６３】
図１１に示すように、送信回路２００Ｂは、第１の実施形態の送信回路２００に第３操作スイッチＳＷ３が追加された回路構成となる。この第３操作スイッチＳＷ３は、制御回路２０２に接続されている。ここで、第１操作スイッチＳＷ１は第１操作部６５に対応し、第２操作スイッチＳＷ２は第２操作部６６に対応し、第３操作スイッチＳＷ３は第３操作部６７に対応している。また、第１操作スイッチＳＷ１は第１負荷Ｌ１に対応し、第２操作スイッチＳＷ２は第２負荷Ｌ２に対応し、第３操作スイッチＳＷ３は第３負荷Ｌ３に対応している。
【００６４】
これら受信回路１００Ｂ及び送信回路２００Ｂによる第１負荷Ｌ１〜第３負荷Ｌ３の制御は、上側ハンドル１４、中央ハンドル１５及び下側ハンドル１６の押操作と、リモコン送信機４の押操作により以下のように制御される。
【００６５】
上側ハンドル１４による上記制御は、第１の実施形態と同様に、上側ハンドル１４を押操作に伴い、第１操作スイッチＳＷＨ１のオン／オフが切り替わり、第１負荷Ｌ１への電力の供給が制御される。また、このとき上側ハンドル１０の押操作によっては第２負荷Ｌ２及び第３負荷Ｌ３への電力の供給は行われない。
【００６６】
中央ハンドル１５による上記制御は、上側ハンドル１４と同様に、中央ハンドル１５を押操作に伴い、第２操作スイッチＳＷＨ２のオン／オフが切り替わり、第２負荷Ｌ２への電力の供給が制御される。また、このとき中央ハンドル１５の押操作によっては第１負荷Ｌ１及び第３負荷Ｌ３への電力の供給は行われない。
【００６７】
下側ハンドル１６による上記制御は、上側ハンドル１４及び中央ハンドル１５と同様に、下側ハンドル１６を押操作に伴い、第３操作スイッチＳＷＨ３のオン／オフが切り替わり、第３負荷Ｌ３への電力の供給が制御される。また、このとき下側ハンドル１６の押操作によっては第１負荷Ｌ１及び第２負荷Ｌ２への電力の供給は行われない。
【００６８】
リモコン送信機４による上記制御は、第１の実施形態と同様に、第１操作部６５を押操作に伴うワイヤレス信号により、第１負荷Ｌ１への電力の供給が制御される。この制御態様は第２操作部６６の第２負荷Ｌ２への電力の供給の制御及び第３操作部６７の第３負荷Ｌ３への電力の供給の制御も同様である。
【００６９】
以上により、１つのリモコン送信機４の第１操作部６５〜第３操作部６７の押操作により、第１負荷Ｌ１〜第３負荷Ｌ３の異なる負荷に応じたオン／オフの切り替えを行うことができるようになる。また、本実施形態によれば、第１の実施形態の効果（１）及び（２）に準じた効果を奏することができる。
【００７０】
（第４の実施形態）
図１２及び図１３を参照して、本発明のスイッチ装置を造営材の壁面に取り付けられるスイッチ装置として具体化した第４の実施形態について説明する。本実施形態でも第２の実施形態及び第３の実施形態と同様に、第１の実施形態と異なる部分について説明する。なお、本実施形態において、第１の実施形態と同一の構成要素には同一の符号を付し、その説明を省略する。
【００７１】
図１２（ｂ）に示すように、スイッチ装置Ｄは、スイッチ装置Ａと比較してハンドルの数が異なる。即ち、スイッチ装置Ａでは上側ハンドル１０及び下側ハンドル１１の２つのハンドルを用いていたが、スイッチ装置Ｄでは、３つのハンドルである上側ハンドル１４、中央ハンドル１５及び下側ハンドル１６が設けられている。そして、図１２（ａ）に示すように、中央ハンドル１５にはリモコン送信機５が設けられ、下側ハンドル１６にはリモコン送信機６が設けられている。
【００７２】
図１２（ｃ）に示すように、リモコン送信機５には、第１負荷Ｌ１及び第２負荷Ｌ２に対応した第１操作部６８及び第２操作部６９が設けられている。また、図１２（ｄ）に示すように、リモコン送信機６には、第１負荷Ｌ１及び第３負荷Ｌ３に対応した第１操作部６８及び第３操作部７０が設けられている。これらリモコン送信機５，６のリモコン本体６０は、互いに同一形状及び同一寸法により構成されている。この構成により、中央ハンドル１５にリモコン送信機６が着脱可能に設けられ、下側ハンドル１６にリモコン送信機５が着脱可能に設けられる構成とすることもできる。したがって、リモコン送信機５，６のスイッチ本体１に対する取り付けの自由度を向上させることができる。
なお、本実施形態の受信回路の構成は、第３の実施形態の受信回路１００Ｂ（図１０参照）と同様であるため、その説明を省略する。
【００７３】
図１３に示すように、リモコン送信機５の送信回路２００Ｃ及びリモコン送信機６の送信回路２００Ｄは、リモコン送信機２の送信回路２００と概ね共通している。そして、送信回路２００Ｃには、第１操作部６８に対応した第１操作スイッチＳＷ１と第２操作部６９に対応した第２操作スイッチＳＷ２とが設けられている。また送信回路２００Ｄには、第１操作部６８に対応した第１操作スイッチＳＷ１と第３操作部７０に対応した第３操作スイッチＳＷ３とが設けられている。
【００７４】
これら受信回路、送信回路２００Ｃ，２００Ｄによる第１負荷Ｌ１〜第３負荷Ｌ３の制御は、上側ハンドル１４、中央ハンドル１５及び下側ハンドル１６の押操作と、リモコン送信機４の押操作とにより以下のように制御される。なお、上側ハンドル１４、中央ハンドル１５及び下側ハンドル１６の押操作による第１負荷Ｌ１〜第３負荷Ｌ３の制御は、第３の実施形態と同様であるため、その説明を省略する。
【００７５】
リモコン送信機５による上記制御は、第１の実施形態と同様に、第１操作部６８を押操作に伴い、第１負荷Ｌ１への電力の供給が制御される。また、第２操作部６９も同様に、第２操作部６９の押操作に伴い、第２負荷Ｌ２への電力の供給が制御される。また、リモコン送信機６による上記制御も同様に、第１操作部６８及び第３操作部７０の押操作に伴い、第１負荷Ｌ１及び第３負荷Ｌ３の電力の供給がそれぞれ制御される。
【００７６】
以上により、１つのリモコン送信機５の第１操作部６８及び第２操作部６９の押操作により、第１負荷Ｌ１及び第２負荷Ｌ２の異なる負荷のオン／オフの切り替えを行うことができる。また、１つのリモコン送信機６の第１操作部６８及び第３操作部７０の押操作により、第１負荷Ｌ１及び第３負荷Ｌ３の異なる負荷のオン／オフの切り替えを行うことができる。
【００７７】
（その他の実施形態）
本実施形態のスイッチ装置Ａは、上記実施形態に限定されることなく、例えば以下の変更が可能である。また、以下の変形例は、上記実施形態についてのみ適用されるものでなく、異なる変形例同士を互いに組み合わせて実施することもできる。
【００７８】
・第１の実施形態では、リモコン送信機２が下側ハンドル１１に着脱可能に取り付けられていたが、リモコン送信機２は上側ハンドル１０に着脱可能に取り付けられる構成とすることもできる。
【００７９】
・第３の実施形態では、リモコン送信機４が下側ハンドル１６に着脱可能に取り付けられていたが、リモコン送信機４の取付位置はこれに限定されることはない。リモコン送信機４は、上側ハンドル１４に取り付けることもできる。またリモコン送信機４は中央ハンドル１５に取り付けることもできる。
【００８０】
・第４の実施形態では、リモコン送信機５，６がそれぞれ中央ハンドル１５及び下側ハンドル１６に着脱可能に取り付けられていたが、リモコン送信機５，６の取付位置はこれに限定されることはない。例えば、リモコン送信機５が上側ハンドル１４に取り付けることもできる。この場合において、リモコン送信機６は中央ハンドル１５または下側ハンドル１６に取り付けることもできる。
【００８１】
・また、リモコン送信機５が下側ハンドル１６に取り付けることもできる。この場合において、リモコン送信機６は中央ハンドル１５または上側ハンドル１４に取り付けることもできる。
【００８２】
・第１の実施形態では、上側ハンドル１０が単位寸法の等倍の寸法にて形成され、下側ハンドル１１が単位寸法の２倍の寸法にて形成されたが、上側ハンドル１０及び下側ハンドル１１の寸法はこれに限定されることはない。例えば、図１４に示すように、上側ハンドル１０及び下側ハンドル１１がともに単位寸法の１．５倍の寸法にて形成することもできる。この構成により、第１の実施形態の効果（１）〜（３）に準じた効果を奏することができる。
【００８３】
・第２の実施形態では、操作スイッチＳＷＨによって第１負荷Ｌ１のオン／オフの切り替えが行われたが、操作スイッチＳＷＨによる負荷の操作はこれに限定されることはない。例えば、操作スイッチＳＷＨによって第２負荷Ｌ２のみについてオン／オフの切り替えが行われるように構成することもできる。また、操作スイッチＳＷＨによって第１負荷Ｌ１及び第２負荷Ｌ２の両方についてオン／オフの切り替えが行われるように構成することもできる。
【００８４】
・第３の実施形態では、リモコン送信機４によって、第１負荷Ｌ１〜第３負荷Ｌ３のそれぞれを各別に制御したが、リモコン送信機４の負荷Ｌの制御態様はこれに限定されることはない。例えば、リモコン送信機４は、第１負荷Ｌ１及び第２負荷Ｌ２のみを制御することができる。同様に、リモコン送信機４は、第１負荷Ｌ１及び第３負荷Ｌ３のみを制御することもできるし、第２負荷Ｌ２及び第３負荷Ｌ３のみを制御することもできる。
【００８５】
・第４の実施形態では、リモコン送信機５によって、第１負荷Ｌ１及び第２負荷Ｌ２のオン／オフの切り替えを制御し、リモコン送信機６によって、第１負荷Ｌ１及び第３負荷Ｌ３のオン／オフの切り替えを制御したが、リモコン送信機５，６の負荷Ｌの制御態様はこれに限定されることはない。例えば、リモコン送信機５は、第１負荷Ｌ１及び第３負荷Ｌ３の制御を行うこともできる。この場合においては、リモコン送信機６は、第１負荷Ｌ１及び第２負荷Ｌ２の制御、または第２負荷Ｌ２及び第３負荷Ｌ３の制御を行うこともできる。
【００８６】
・また、リモコン送信機５は、第２負荷Ｌ２及び第３負荷Ｌ３の制御を行うこともできる。この場合においては、リモコン送信機６は、第１負荷Ｌ１及び第２負荷Ｌ２の制御、または第１負荷Ｌ１及び第３負荷Ｌ３の制御を行うこともできる。
【００８７】
・上記各実施形態では、リモコン送信機２〜６によって、負荷Ｌのオン／オフの切り替えを制御したが、リモコン送信機２〜６の負荷Ｌの制御はこれに限定されることはない。例えば、負荷Ｌが照明負荷であり、その照明負荷の調光を制御することもできる。
【００８８】
・この負荷Ｌの状態を制御する場合において、受信回路または送信回路の少なくともどちらか一方にＲＯＭやＲＡＭ等の記憶部を設ける構成とすることもできる。この記憶部に複数の負荷Ｌの状態を予め設定し、リモコン送信機２〜６のワイヤレス信号によりその記憶された負荷Ｌの状態を再現する制御を行うこともできる。例えば、記憶部に第１負荷Ｌ１をオン状態及び第２負荷Ｌ２をオフ状態とするシーンをそれぞれ予め記憶し、リモコン送信機２〜６のワイヤレス信号により、そのシーンを再現させることもできる。
【００８９】
・また、負荷Ｌの状態は、オン／オフの切り替えのみに限定されることはない。例えば、上述のような照明負荷の調光状態であってもよい。即ち、記憶部に第１負荷Ｌ１として５０％の調光状態及び第２負荷Ｌ２として７０％の調光状態をそれぞれ予め記憶し、リモコン送信機２〜６のワイヤレス信号により、それぞれの調光状態を再現させることもできる。また、これらの例では、第１負荷Ｌ１及び第２負荷Ｌ２の二つの負荷Ｌとしたが、第３及び第４の実施形態のように第１負荷Ｌ１〜第３負荷Ｌ３の三つの負荷Ｌがある場合には、記憶部にはその三つの負荷Ｌのシーンまたは調光状態を予め記憶することもできる。
【００９０】
・上記各実施形態では、リモコン送信機２〜６によって、第１負荷Ｌ１〜第３負荷Ｌ３の各負荷Ｌを各別に制御したが、リモコン送信機２〜６による負荷Ｌの制御をこれに限定されることはない。例えば、図１５に示すように、リモコン送信機７に第１操作部６３及び第２操作部６４の他に複数の負荷Ｌを一括に制御する一括操作部７１を設ける構造とすることもできる。この一括操作部７１により、第１負荷Ｌ１及び第２負荷Ｌ２を同時に制御することができる。
【００９１】
・また、図１５では、リモコン送信機７には、第１負荷Ｌ１を制御する第１操作部６３、及び第２負荷Ｌ２を制御する第２操作部６４のみが設けられる構成であったが、第３負荷Ｌ３を制御する第３制御部を追加する構成とすることもできる。この場合において、一括操作部７１は、第１負荷Ｌ１〜第３負荷Ｌ３を同時に制御する構成とすることもできるし、第１負荷Ｌ１及び第２負荷Ｌ２のみを同時に制御する構成、第１負荷Ｌ１及び第３負荷Ｌ３のみを同時に制御する構成及び第２負荷Ｌ２及び第３負荷Ｌ３のみを同時に制御する構成とすることもできる。
【００９２】
・第１の実施形態では、平面視においてリモコン送信機２の面積は、下側ハンドル１１の受信カバー部１１ａを除いた面積と同一であったが、リモコン送信機２の面積は、これに限定されることはない。例えば、リモコン送信機２の面積は、下側ハンドル１１の同面積よりも小さく形成することもできる。また、第２の実施形態においても同様に、平面視においてリモコン送信機３の面積は、ハンドル１３の受信カバー部１１ａを除いた面積よりも小さく形成することもできる。
【００９３】
・上記各実施形態では、負荷Ｌとして、主照明、間接照明、読書用の照明器具といった照明負荷を用いたが、負荷Ｌの種類はこれに限定されることはない。例えば、負荷Ｌとして、換気扇等の他の負荷を用いることもできる。
【００９４】
・第３の実施形態では、リモコン送信機４の操作部６１が、第１操作部６５〜第３操作部６７により構成されたが、リモコン送信機４の操作部６１の構成はこれに限定されることはない。リモコン送信機４の操作部６１によって複数の負荷Ｌを操作することができればよいため、第１負荷Ｌ１〜第３負荷Ｌ３の全てをリモコン送信機４にて制御するのではなく、第１負荷Ｌ１〜第３負荷Ｌ３のうちの二つの負荷を制御するようにすることもできる。したがって、例えばリモコン送信機４の操作部６１は、第１操作部６５及び第２操作部６６により構成することもできる。また同操作部６１は、第１操作部６５及び第３操作部６７、または第２操作部６６及び第３操作部６７から構成することもできる。この構成により、リモコン送信機４のリモコン本体６０における２つの操作部のスペースを良好に確保することができる。したがって、２つの操作部を大きく形成した場合には、リモコン送信機４の操作部の押操作による操作性を向上させることができる。
【００９５】
・また、上述のようにリモコン送信機４の操作部６１を２つの操作部から構成される場合には、第１負荷Ｌ１〜第３負荷Ｌ３のうちの一つの負荷Ｌは、リモコン送信機４によって操作する必要性の少ない負荷（例えば、換気扇）に設定することが望ましい。これにより、リモコン送信機４の操作部６１を２つの操作部から構成したとしても、その利便性の低下を抑制することができる。
【００９６】
・第４の実施形態では、リモコン送信機５が第１負荷Ｌ１及び第２負荷Ｌ２の二つの負荷Ｌを制御し、リモコン送信機６が第１負荷Ｌ１及び第３負荷Ｌ３の二つの負荷Ｌを制御したが、リモコン送信機５，６の制御対象はこれに限定されることはない。例えば、リモコン送信機５，６のどちらか一方は、制御対象として第１負荷Ｌ１〜第３負荷Ｌ３のうちの一つの負荷Ｌを制御するのみの構成であってもよい。この場合、一つの負荷Ｌを制御するのみのリモコン送信機とは別のリモコン送信機では、複数の負荷Ｌを制御することになる。例えば、リモコン送信機５が第１負荷Ｌ１のみを制御する場合には、リモコン送信機６は、第１負荷Ｌ１〜第３負荷Ｌ３の全てを制御する構成とすることもできる。また、リモコン送信機６は、第１負荷Ｌ１〜第３負荷Ｌ３のうちの２つの負荷Ｌを制御する構成とすることもできる。
【００９７】
・第４の実施形態では、リモコン送信機５，６のリモコン本体６０の形状及び寸法が互いに同一に構成されたが、リモコン送信機５，６のリモコン本体６０の形状及び寸法は互いに異なるように構成することもできる。
【符号の説明】
【００９８】
Ａ，Ｂ，Ｃ，Ｄ…スイッチ装置、ＡＣ…交流電源（電源）、Ｌ…負荷、Ｌ１…第１負荷、Ｌ２…第２負荷、Ｌ３…第３負荷、ＳＷ１…第１操作スイッチ、ＳＷ２…第２操作スイッチ、ＳＷ３…第３操作スイッチ、ＳＷＨ…操作スイッチ、ＳＷＨ１…第１操作スイッチ、ＳＷＨ２…第２操作スイッチ、ＳＷＨ３…第３操作スイッチ、１…スイッチ本体、２，３，４，５，６，７…リモコン送信機、１０…上側ハンドル（第２ハンドル）、１０ａ…上側表示部、１１…下側ハンドル（第１ハンドル）、１１ａ…受信カバー部、１１ｂ…下側表示部、１１ｃ…永久磁石、１１ｄ…係合爪、１１ｅ…受信部、１３…ハンドル、１４…上側ハンドル（第２ハンドル）、１５…中央ハンドル（第１ハンドル、第２ハンドル）、１６…下側ハンドル（第１ハンドル）、２０…化粧プレート（プレート）、２１…開口部、３０…ハウジング、３１…係合爪、４０…取付枠、４１…上方取付部、４２…下方取付部、５０…ボディ、６０…リモコン本体、６１…操作部、６２…窓孔、６３…第１操作部、６４…第２操作部、６５…第１操作部、６６…第２操作部、６７…第３操作部、６８…第１操作部、６９…第２操作部、７０…第３操作部、７１…一括操作部（一括制御操作部）、１００，１００Ａ，１００Ｂ…受信回路（制御部）、１０１…受光部、１０２…制御回路、１０３…電源回路、１０４…第１負荷開閉部、１０５…第２負荷開閉部、１０６…第３負荷開閉部、２００，２００Ｂ，２００Ｃ，２００Ｄ…送信回路、２０１…発光部（送信部）、２０２…制御回路、２０３…電池。
【図１】
2010251076.tif 000003
【図２】
2010251076.tif 000004
【図３】
2010251076.tif 000005
【図４】
2010251076.tif 000006
【図５】
2010251076.tif 000007
【図６】
2010251076.tif 000008
【図７】
2010251076.tif 000009
【図８】
2010251076.tif 000010
【図９】
2010251076.tif 000011
【図１０】
2010251076.tif 000012
【図１１】
2010251076.tif 000013
【図１２】
2010251076.tif 000014
【図１３】
2010251076.tif 000015
【図１４】
2010251076.tif 000016
【図１５】
2010251076.tif 000017